(57)【要約】【課題】学習コンテンツを配信する学習管理装置として、学習者の学習の進捗を推定し、学習の進捗遅れに対する適切な支援を行う学習管理装置を実現すること。【解決手段】学習コンテンツ配信システム５の学習管理サーバ６は、学習者が使用する学習端末３に講座コンテンツを配信すると共に、学習端末３から講座の受講終了通知を受信した際に、予想される学習者の学習の進度である予想進捗を推定する。そして、推定した予想進捗が、学習者の試験日又は希望企業選考日に間に合わないと判定した場合には、警告メッセージを学習端末３に送信する。これにより、学習者の学習の進捗遅れに対する適切な支援を実現する。【選択図】図１
2006350903.tif 000002
【特許請求の範囲】
【請求項１】
学習者が使用する複数の学習端末に通信回線を介して接続された学習管理装置において、
前記通信回線を介して、学習者が学習の対象とする講座コンテンツを前記学習端末に配信するコンテンツ配信手段と、
このコンテンツ配信手段により配信された講座コンテンツと予め定められている学習者の学習計画とに基づいて、学習の進度に関する進捗を推定する進捗推定手段と、
この進捗推定手段による進捗推定の結果に基づいて進捗遅れの発生を検知する遅れ検知手段と、
この遅れ検知手段による検知に応じて所定のメッセージを前記学習端末に送信する送信手段と、
を備えることを特徴とする学習管理装置。
【請求項２】
前記遅れ検知手段は、前記進捗推定手段により推定された進捗に従った進度で学習した場合、学習計画の遂行が予め定められた期日に間に合わない場合を進捗遅れとして検知することを特徴とする請求項１に記載の学習管理装置。
【請求項３】
所定試験が行われる複数の試験日を記憶する試験日記憶手段と、
前記進捗推定手段により推定された進捗に適した試験日を前記試験日記憶手段により記憶された試験日の中から検索して前記学習端末に通知する進捗適合試験日検索通知手段と、
を更に備えることを特徴とする請求項１又は２に記載の学習管理装置。
【請求項４】
前記講座コンテンツは就職試験対策の講座コンテンツであり、
企業のホームページアドレスを記憶する企業アドレス記憶手段と、
この企業アドレス記憶手段により記憶されたホームページアドレスのホームページが更新されたことを検知する企業ＨＰ更新検知手段と、
この企業ＨＰ更新検知手段の検知に応じて、ホームページが更新された旨を前記学習端末に通知するＨＰ更新通知手段と、
を更に備えることを特徴とする請求項１〜３の何れか一項に記載の学習管理装置。
【請求項５】
前記講座コンテンツは就職試験対策の講座コンテンツであって、電子履歴書作成の講座コンテンツが少なくとも含まれ、
前記学習計画には電子履歴書を作成する講座が含まれ、
企業の採用窓口通信アドレスを記憶する企業採用アドレス記憶手段と、
前記コンテンツ配信手段により電子履歴書作成の講座コンテンツが前記学習端末に配信された際に、当該講座において作成された電子履歴書を当該学習端末から受信する電子履歴書受信手段と、
前記電子履歴書受信手段により受信された電子履歴書を前記企業採用アドレス記憶手段により記憶された企業の採用窓口通信アドレス宛に送信する電子履歴書送信手段と、
を更に備えることを特徴とする請求項１〜４の何れか一項に記載の学習管理装置。
【請求項６】
前記講座コンテンツには自己紹介動画データ作成の講座コンテンツが含まれ、
前記学習計画には自己紹介動画データを作成する講座が含まれ、
前記コンテンツ配信手段により自己紹介動画データ作成の講座コンテンツが前記学習端末に配信された際に、当該講座において作成された自己紹介動画データを当該学習端末から受信する動画データ受信手段を更に備え、
前記電子履歴書送信手段は、前記動画データ受信手段により受信された自己紹介動画データを、前記電子履歴書受信手段により受信された電子履歴書とともに前記企業採用アドレス記憶手段により記憶された企業の採用窓口通信アドレス宛に送信することを特徴とする請求項５に記載の学習管理装置。
【請求項７】
通信回線を介して学習管理装置と接続された学習端末において、
前記学習管理装置は、学習者の学習の対象とする講座コンテンツを前記学習端末に配信するとともに、予め定められた学習者の学習計画に基づいて学習の進度に関する進捗を推定し、進捗遅れが生じている場合に所定のメッセージを前記学習端末に送信する装置であり、
前記通信回線を介して、前記学習管理装置から配信される講座コンテンツを受信するコンテンツ受信手段と、
このコンテンツ受信手段により受信された講座コンテンツに基づいて、講座に関する表示及び音声出力の制御を行う制御手段と、
前記学習管理装置から前記所定のメッセージを受信した場合に、当該メッセージを表示する制御を行うメッセージ表示制御手段と、
を備えることを特徴とする学習端末。
【請求項８】
前記学習管理装置は、企業のホームページアドレスを記憶する企業アドレス記憶手段と、この企業アドレス記憶手段に記憶されたホームページアドレスを学習者の携帯端末に送信する携帯向アドレス送信手段とを備え、
前記携帯端末は、前記携帯向アドレス送信手段により送信されたホームページアドレスを表示するアドレス表示手段と、このアドレス表示手段によるホームページアドレスの表示状態の際に、当該表示されているホームページアドレスを学習端末に送信する端末向送信手段とを備えており、
前記端末向送信手段によるホームページアドレスの送信を検知するアドレス送信検知手段と、
前記アドレス送信検知手段による検知に応じて、当該送信されてきたホームページアドレスのホームページにアクセスする検知呼応アクセス手段と、
を備えることを特徴とする請求項７に記載の学習端末。
【発明の詳細な説明】
【技術分野】
【０００１】
本発明は、学習者が使用する複数の学習端末に通信回線を介して接続された学習管理装置及び該学習端末に関する。
【背景技術】
【０００２】
昨今のインターネット技術の進展や通信回線速度の高速化に伴い、Ｗｅｂカメラ等によるリアルタイムな撮影画像を遠隔地に通信する技術が活用され始めており、例えば、就職試験の面接をオンラインで行う所謂Ｗｅｂ面接を可能にするシステム（例えば、特許文献１。）等が考案されている。
【０００３】
また、実用化されている周知のシステムとしては、自宅に居ながら、遠隔地にいる講師と外国語による会話を行って外国語を習得するシステム等があり、学習者が好きなときに気軽に利用できるというメリットから、人気を博している。
【特許文献１】特開２００５−５６３６０号公報
【発明の開示】
【発明が解決しようとする課題】
【０００４】
ところで、受験予定の試験があり、その試験に向けた学習をする場合、その試験の試験日から逆算して学習の開始時期や学習のペース等の学習計画を立てるのが一般的であり、学習を開始した後は、進捗状況に鑑みて適宜スケジュール調整を行うのが通常である。
【０００５】
そのため、各種試験に対する授業サービスとして学習コンテンツを配信するサービスを、上述のオンラインによる遠隔サービスで実現するためには次のような問題があった。すなわち、遠隔サービスが有する何時でも利用できるというメリットに甘んじて、学習計画に対する進捗が遅れがちになり得るという問題である。試験日は定まっているため、受験予定の試験の試験日までに予定通りの学習を終了することができなければ、準備不足のまま試験に臨むことになってしまう。
【０００６】
また、一方で、予定の学習計画を遂行し終わる時点は、試験を受けるのに最適な時期にあると考えられる。従って、試験日が複数ある場合には、学習進捗に応じた試験日に試験を受けることができれば至便である。しかし、試験を受けるためには前もって応募しておく必要があるため、学習計画の遂行終了時点を早期に見極める必要がある。
【０００７】
本発明はこのような課題に鑑みて為されたものであり、その目的とするところは、講座コンテンツの配信を受けてそれを学習する学習者の学習の進捗を推定し、試験日、選考日など、予め定められている期日までに学習が間に合うように支援するといった学習の進捗遅れに対する適切な支援を行う学習管理装置を実現することにある。
【課題を解決するための手段】
【０００８】
以上の課題を解決するため、請求項１に記載の発明は、
学習者が使用する複数の学習端末（例えば、図１の学習端末３）に通信回線を介して接続された学習管理装置（例えば、図１の学習管理サーバ６）において、
前記通信回線を介して、学習者が学習の対象とする講座コンテンツ（例えば、図６の講座コンテンツＤＢ６７４）を前記学習端末に配信するコンテンツ配信手段（例えば、図４のＣＰＵ６１０、通信部６４０；図１２のステップＳ３）と、
このコンテンツ配信手段により配信された講座コンテンツと予め定められている学習者の学習計画（例えば、図５の履修コースデータ６７３）とに基づいて、学習の進度に関する進捗（例えば、図１０の予想進捗６７７６）を推定する進捗推定手段（例えば、図４のＣＰＵ６１０；図１２のステップＳ９）と、
この進捗推定手段による進捗推定の結果に基づいて進捗遅れ（例えば、図１１の進捗遅れ６７８１ｂ）の発生を検知する遅れ検知手段（例えば、図４のＣＰＵ６１０；図１２のステップＳ１１）と、
この遅れ検知手段による検知に応じて所定のメッセージ（例えば、図１１の表示内容６７８３）を前記学習端末に送信する送信手段（例えば、図４のＣＰＵ６１０、通信部６４０；図１２のステップＳ１３）と、
を備えることを特徴とする学習管理装置である。
【０００９】
また、請求項２に記載の発明は、請求項１に記載の学習管理装置であって、
前記遅れ検知手段は、前記進捗推定手段により推定された進捗に従った進度で学習した場合、学習計画の遂行が予め定められた期日（例えば、図８の選考期日６７５７ａ）に間に合わない場合を進捗遅れとして検知することを特徴とする学習管理装置である。
【００１０】
また、請求項３に記載の発明は、請求項１又は２に記載に学習管理装置であって、
所定試験が行われる複数の試験日を記憶する試験日記憶手段（例えば、図４のハードディスク６７０；図８の企業情報データ６７５）と、
前記捗推定手段により推定された進捗に適した試験日を前記試験日記憶手段により記憶された試験日の中から検索して前記学習端末に通知する進捗適合試験日検索通知手段（例えば、図４のＣＰＵ６１０、通信部６４０；図１２のステップＳ１７、Ｓ１９）と、
を更に備えることを特徴とする学習管理装置である。
【００１１】
また、請求項４に記載の発明は、請求項１〜３の何れか一項に記載の学習管理装置であって、
前記講座コンテンツは就職試験対策の講座コンテンツ（例えば、図６の講座コンテンツＤＢ６７４）であり、
企業のホームページアドレスを記憶する企業アドレス記憶手段（例えば、図４のハードディスク６７０；図８の企業情報データ６７５）と、
この企業アドレス記憶手段により記憶されたホームページアドレスのホームページが更新されたことを検知する企業ＨＰ更新検知手段（例えば、図４のＣＰＵ６１０；図１５のステップＴ３）と、
この企業ＨＰ更新検知手段の検知に応じて、ホームページが更新された旨を前記学習端末に通知するＨＰ更新通知手段（例えば、図４のＣＰＵ６１０、通信部６４０；図１５のステップＴ１１）と、
を更に備えることを特徴とする学習管理装置である。
【００１２】
また、請求項５に記載の発明は、請求項１〜４の何れか一項に記載の学習管理装置であって、
前記講座コンテンツは就職試験対策の講座コンテンツであって、電子履歴書作成の講座コンテンツ（例えば、図６の講座コンテンツＤＢ６７４；履歴書作成講座６７４５）が少なくとも含まれ、
前記学習計画には電子履歴書（例えば、図４の履歴書データ６７９）を作成する講座が含まれ、
企業の採用窓口通信アドレスを記憶する企業採用アドレス記憶手段（例えば、図４のハードディスク６７０；図８の企業情報データ６７５）と、
前記コンテンツ配信手段により電子履歴書作成の講座コンテンツが前記学習端末に配信された際に、当該講座において作成された電子履歴書を当該学習端末から受信する電子履歴書受信手段（例えば、図４のＣＰＵ６１０、通信部６４０）と、
前記電子履歴書受信手段により受信された電子履歴書を前記企業採用アドレス記憶手段により記憶された企業の採用窓口通信アドレス宛に送信する電子履歴書送信手段（例えば、図４のＣＰＵ６１０、通信部６４０）と、
を更に備えることを特徴とする学習管理装置である。
【００１３】
また、請求項６に記載の発明は、請求項５に記載の学習管理装置であって、
前記講座コンテンツには自己紹介動画データ作成の講座コンテンツが含まれ、
前記学習計画には自己紹介動画データ（例えば、図４の自己ＰＲ用録画データ６８０）を作成する講座が含まれ、
前記コンテンツ配信手段により自己紹介動画データ作成の講座コンテンツが前記学習端末に配信された際に、当該講座において作成された自己紹介動画データを当該学習端末から受信する動画データ受信手段（例えば、図４のＣＰＵ６１０、通信部６４０）を更に備え、
前記電子履歴書送信手段は、前記動画データ受信手段により受信された自己紹介動画データを、前記電子履歴書受信手段により受信された電子履歴書とともに前記企業採用アドレス記憶手段により記憶された企業の採用窓口通信アドレス宛に送信することを特徴とする学習管理装置である。
【００１４】
また、請求項７に記載の発明は、
通信回線を介して学習管理装置（例えば、図１の学習管理サーバ６）と接続された学習端末（例えば、図１の学習端末３）において、
前記学習管理装置は、学習者の学習の対象とする講座コンテンツ（例えば、図６の講座コンテンツＤＢ６７４）を前記学習端末に配信するとともに、予め定められた学習者の学習計画（例えば、図５の履修コースデータ６７３）に基づいて学習の進度に関する進捗（例えば、図１０の予想進捗６７７６）を推定し、進捗遅れ（例えば、図１１の進捗遅れ６７８１ｂ）が生じている場合に所定のメッセージ（例えば、図１１の表示内容６７８３）を前記学習端末に送信する装置であり、
前記通信回線を介して、前記学習管理装置から配信される講座コンテンツを受信するコンテンツ受信手段（例えば、図２のＣＰＵ３１０、通信部３４０；図１２のステップＡ５）と、
このコンテンツ受信手段により受信された講座コンテンツに基づいて、講座に関する表示及び音声出力の制御を行う制御手段（例えば、図２のＣＰＵ３１０；図１２のステップＡ７）と、
前記学習管理装置から前記所定のメッセージを受信した場合に、当該メッセージを表示する制御を行うメッセージ表示制御手段（例えば、図２のＣＰＵ３１０；図１２のステップＡ１５）と、
を備えることを特徴とする学習端末である。
【００１５】
また、請求項８に記載の発明は、請求項７に記載の学習端末であって、
前記学習管理装置は、企業のホームページアドレスを記憶する企業アドレス記憶手段（例えば、図４のハードディスク６７０；図８の企業情報データ６７５）と、この企業アドレス記憶手段に記憶されたホームページアドレスを学習者の携帯端末に送信する携帯向アドレス送信手段（例えば、図４のＣＰＵ６１０、通信部６４０；図１５のステップＴ１５）とを備え、
前記携帯端末は、前記携帯向アドレス送信手段により送信されたホームページアドレスを表示するアドレス表示手段（例えば、図３の表示部４３０）と、このアドレス表示手段によるホームページアドレスの表示状態の際に、当該表示されているホームページアドレスを学習端末に送信する端末向送信手段（例えば、図３のＣＰＵ４１０、近距離無線通信部４５０；図１６のステップＰ５）とを備えており、
前記端末向送信手段によるホームページアドレスの送信を検知するアドレス送信検知手段（例えば、図２のＣＰＵ３１０、近距離無線通信部３５０；図１６のステップＢ１）と、
前記アドレス送信検知手段による検知に応じて、当該送信されてきたホームページアドレスのホームページにアクセスする検知呼応アクセス手段（例えば、図２のＣＰＵ３１０、通信部３４０；図１２のステップＢ３）と、
を備えることを特徴とする学習端末である。
【発明の効果】
【００１６】
請求項１に記載の発明によれば、コンテンツ配信手段が、学習者の学習の対象とする講座コンテンツを学習端末に配信するが、配信された講座コンテンツと予め定められている学習者の学習計画とに基づいて、学習の進度に関する進捗が進捗推定手段により推定されることとなる。そして、進捗推定手段による進捗推定の結果に基づいて進捗遅れの発生が遅れ検知手段により検知されると、所定のメッセージが学習端末に送信される。従って、学習者は、学習端末を用いて好きな時に講座コンテンツの配信を受け、受講することができるが、講座を受講する頻度が低下して学習の進度が遅くなった場合には、所定のメッセージを受け取ることとなる。よって、遠隔サービスを何時でも利用できるという学習者のメリットを損なうことなく、学習の進捗遅れに対する適切な支援を行う学習管理装置が実現できる。
【００１７】
請求項２に記載の発明によれば、遅れ検知手段により、進捗推定手段により推定された進捗に従った進度で学習した場合、学習計画の遂行が予め定められた期日に間に合わない場合が進捗遅れとして検知されることとなる。
【００１８】
請求項３に記載の発明によれば、進捗推定手段により推定された進捗に適した試験日が学習端末に通知されることとなる。学習計画に沿った全ての受講が終了する時点は、試験を受けるのに最適な時期にあると考えられる。従って、この請求項３に記載の発明によれば、学習者に対して、現在の学習ペースで受講していった場合に、試験を受けるのに適した試験日を早期に知らせることのできる学習管理装置を実現し得る。
【００１９】
請求項４に記載の発明によれば、就職試験対策の講座コンテンツが配信され、企業のホームページが更新された場合にその旨が学習端末に通知されることとなる。従って、就職活動を行っている学習者にとって有益な情報である企業のホームページの情報が更新されたか否かをいち早く知らせることのできる学習管理装置を実現し得る。
【００２０】
請求項５に記載の発明によれば、就職試験対策の講座コンテンツが配信され、学習計画の１つに電子履歴書を作成する講座が含まれる。また、当該講座において作成され、学習端末から受信した電子履歴書は、企業の採用窓口通信アドレス宛に送信される。従って、就職活動を行っている学習者の電子履歴書の提出を代行する学習管理装置を実現し得る。
【００２１】
請求項６に記載の発明によれば、学習計画の１つに自己紹介動画データを作成する講座が含まれる。また、当該講座において作成され、学習端末から受信した自己紹介動画データは、電子履歴書とともに企業の採用窓口通信アドレス宛に送信される。従って、面談対策相当の講座コンテンツを配信できるとともに、当該講座の成果である自己紹介動画データを企業側に提供する学習管理装置を実現し得る。自己紹介動画データは、履歴書に記載されている文字や写真等の静止画では伝わり難い、応募者（学習者）の雰囲気や意気込みを分かり易く伝えることができるため、企業側にとっても有益な情報である。
【００２２】
請求項７に記載の発明によれば、学習管理装置から配信される講座コンテンツに基づいて、講座に関する表示及び音声出力を行う学習端末が実現される。また、学習管理装置により学習の進度に関する進捗が推定され、進捗遅れが生じている場合に当該学習管理装置から送信される所定のメッセージを受信することで、当該メッセージを表示する学習端末が実現される。
【００２３】
請求項８に記載の発明によれば、学習管理装置から携帯端末に送信されてきた企業のホームページアドレスを当該携帯端末で表示した状態にすると、携帯端末に表示されているホームページアドレスが当該携帯端末から送信され、この送信の検知に応じて、当該ホームページアドレスのホームページにアクセスする学習端末が実現される。従って、学習者は、学習端末で閲覧したい企業のホームページがあった場合、携帯端末で当該ホームページのホームページアドレスを表示した状態にすれば良いため、簡単に当該企業のホームページを当該学習端末で閲覧できるようになる。
【発明を実施するための最良の形態】
【００２４】
〔システム概要〕
先ず、本発明を適用した就職活動用学習システムの概要について説明する。
図１は、就職活動用学習システム１の概要を示す図である。
就職活動用学習システム１は、学習端末３及び携帯型電話機４で構成される学習端末側システム２と、学習管理サーバ６及び講師端末７で構成される学習コンテンツ配信システム５とを備えて構成される。各学習端末３は、例えば無線通信回線、専用線、ツイストペアケーブル、光通信ケーブル等の通信回線と、それらを接続するインターネット等の通信ネットワークＮを介して、学習コンテンツ配信システム５に接続される。また、学習端末３及び学習コンテンツ配信システム５は、通信ネットワークＮを介して企業サーバ８に接続される。
【００２５】
学習端末３は、本システムの会員となっている学習者（以下、この学習者のことを単に「会員」と呼ぶ。）が就職活動用の学習を行うための端末装置であり、例えば家庭用のパソコン（ＰＣ）によって実現される。学習端末３は、ネット学習プログラム３６１を適宜実行することで、学習コンテンツ配信システム５の学習管理サーバ６にアクセスしてログインし、学習管理サーバ６から配信される講座コンテンツを受信・表示することで各種講座の受講を実現する。また、学習端末３はＷｅｂカメラ３ａ及びＷｅｂマイク３ｂを備え、予め定められた講座の受講において、会員を撮像すると共に音声を取り込み、画像データ及び音声データとして学習コンテンツ配信システム５に送信することで、当該講座の講師等との間でインタラクティブ（双方向）な講座を実現する。
【００２６】
携帯型電話機４は、通話やメールの送受信といった一般的な携帯型電話機が有する機能の他に、ＵＲＬ接続信号送信プログラム４６１を実行することで、本文中にＵＲＬが含まれるメールが表示部に表示されている際に、Ｗｅｂブラウザを起動させ、当該ＵＲＬにアクセスさせる制御信号である接続信号（以下、「ＵＲＬ接続信号」と呼ぶ。）を学習端末３に送信する機能を有する。
【００２７】
学習管理サーバ６は、例えば、公知のサーバ装置やサーバシステムなどによって実現され、学習管理プログラム６７１を適宜実行することによって、会員登録、ログイン認証、講座コンテンツ配信等の処理を行う。会員登録は、就職活動用の講座を受講するにあたって事前に行う学習者の登録であり、例えばパスワード、氏名、学習端末３及び携帯型電話機４それぞれのメールアドレス、就職を希望する企業（以下、「希望企業」と呼ぶ。）等を登録する。ログイン認証は、会員登録された正規の学習者であることを承認する処理である。講座コンテンツ配信は、学習端末３から講座コンテンツの配信要求があった場合に、その配信要求に基づいた講座コンテンツの配信を学習端末３に対して行う処理である。
【００２８】
また、学習管理サーバ６は、１日１回、企業ＨＰ更新情報メール送信プログラム６７２を実行することで、予め記憶している各企業のホームページ（ＨＰ）にアクセスし、採用情報が記載されたページ（以下、「採用情報ページ」と呼ぶ。）が更新されたか否かを監視する。そして、会員の希望企業の採用情報ページが更新されていた場合に、その旨を記載したメールを当該会員の学習端末３及び携帯型電話機４に送信する処理を、各会員に対して行う。
【００２９】
講師端末７は、講師が使用する端末装置であり、例えばパソコンによって実現される。講師端末７は、予め定められた講座において学習端末３と接続され、講師と会員との間でインタラクティブ（双方向）な講座が実現される。また、講師端末７は、学習端末３と同様にＷｅｂカメラ７ａ及びＷｅｂマイク７ｂを備え、講師の映像と音声とが学習端末３に送信される。
【００３０】
企業サーバ８は、ＡＡ株式会社サーバ８ａ、ＡＢ有限会社サーバ８ｂといった各企業のサーバであり、それぞれ公知のサーバ装置やサーバシステムなどによって実現される。企業サーバ８は、採用情報ページを含んだ自社のＨＰをＷｅｂ上に公開し、例えば学習端末３や学習管理サーバ６からの当該ＨＰへのアクセスを可能にする。また、企業サーバ８は、学習管理サーバ６が会員の履歴書の提出を代行する際に、当該履歴書の電子データである履歴書データを受信する受信窓口として機能する。
【００３１】
〔構成〕
次に、学習端末３、携帯型電話機４及び学習管理サーバ６それぞれの構成について説明する。尚、講師端末７は公知のパソコン等によって実現され、企業サーバ８は公知のサーバ装置等によって実現されるものであるため、構成についての説明をそれぞれ省略する。
【００３２】
図２は、学習端末３の機能構成を示すブロック図である。
学習端末３は、ＣＰＵ（Central Processing Unit）３１０と、入力部３２０と、表示部３３０と、音出力部３３５と、通信部３４０と、近距離無線通信部３５０と、ＲＯＭ（Read Only Memory）３６０と、ＲＡＭ（Random Access Memory）３７０と、メモリカード読書装置３８０と、Ｗｅｂカメラ３ａと、Ｗｅｂマイク３ｂとを備え、各部はバス３９０で相互にデータ通信可能に接続されて構成されている。
【００３３】
ＣＰＵ３１０は、ＲＯＭ３６０に記憶されているシステムプログラム等に従って各部を統括的に制御する。また、ＣＰＵ３１０は、ＲＯＭ３６０に記憶されているネット学習プログラム３６１を始めとする各種処理プログラムを読み出してワークエリアに展開し、ネット学習処理等を始めとする各種処理を実行する。
【００３４】
入力部３２０は、例えばキーボードにより実現され、押下されたキーの信号をＣＰＵ３１０に出力する。この入力部３２０によるキー操作により、学習管理サーバ６へのログイン要求や、講座コンテンツ配信要求等がなされる。
【００３５】
表示部３３０は、例えば学習管理サーバ６から受信した講座コンテンツに基づいた各種講座が表示される表示装置であって、ＬＣＤ（Liquid Crystal Display）等により構成される。
【００３６】
音出力部３３５は、例えば学習管理サーバ６から受信した講座コンテンツに基づいた各種講座の音声を出力する装置であって、スピーカ等により構成される。
【００３７】
通信部３４０は、ネットワークカード、モデム又はＴＡ、ルータ等により構成され、ＣＰＵ３１０の制御に基づいて、無線通信回線、専用線、ツイストペアケーブル、光通信ケーブル等の通信回線と、それらを接続するインターネット等の通信ネットワークＮを介して、学習管理サーバ６を始めとする外部機器との通信を行う。
【００３８】
近距離無線通信部３５０は、IEEE802.11によるワイヤレスＬＡＮ規格やBluetooth（登録商標）によって実現され、ＣＰＵ３１０の制御に基づいて、例えば携帯型電話機４から送信されるＵＲＬ接続信号を受信する。
【００３９】
ＲＯＭ３６０は、学習端末３の備える各種機能を実現するためのプログラム等を記憶し、ＣＰＵ３１０により読み出され、ネット学習処理（図１２参照）として実行されるネット学習プログラム３６１と、ＵＲＬ接続処理（図１６参照）として実行されるＵＲＬ接続プログラム３６３とを記憶している。
【００４０】
ネット学習処理とは、ＣＰＵ３１０が、学習管理サーバ６に講座コンテンツの配信を要求し、配信された講座コンテンツに基づいた講座を表示部３３０に表示させ、その音声を音出力部３３５から出力させる処理である。この際、ＣＰＵ３１０は、Ｗｅｂカメラ３ａにより撮像された会員の画像及びＷｅｂマイク３ｂから入力された会員の音声を、それぞれ画像データ及び音声データとして学習管理サーバ６に送信する。また、ＣＰＵ３１０は、学習管理サーバ６から送信された警告メッセージや企業情報を受信し、表示部３３０に表示させる。このネット学習処理については、詳細に後述する。
【００４１】
ＵＲＬ接続処理とは、ＣＰＵ３１０が、ＵＲＬ接続信号を受信したか否かを判定し、受信したと判定した場合に、Ｗｅｂブラウザを起動して、当該ＵＲＬ接続信号に含まれるＵＲＬに接続して当該ＵＲＬのＨＰを表示させる処理である。このＵＲＬ接続処理については、詳細に後述する。
【００４２】
ＲＡＭ３７０は、ＣＰＵ３１０により実行されるシステムプログラム、各種処理プログラム、各処理の処理中データ、処理結果などを一時的に記憶するワークエリアを形成し、履歴書データを格納する履歴書データ格納領域３７１と、自己ＰＲ用録画データを格納する自己ＰＲ用録画データ格納領域３７３とを備えている。
【００４３】
履歴書データは、履歴書作成講座において会員により作成される履歴書の電子データ（電子履歴書）であり、自己ＰＲ用録画データは、録画用自己ＰＲ講座において会員により作成される自己紹介及び自己ＰＲ用の録画データである。この２つのデータについては、詳細に後述する。
【００４４】
メモリカード読書装置３８０は、メモリカードの読み書きを行うための装置である。メモリカードは、フラッシュＲＯＭ等によって構成される記憶媒体であり、本実施形態では、ＲＡＭ３７０の自己ＰＲ用録画データ格納領域３７３に格納された自己ＰＲ用録画データが、メモリカード読書装置３８０によって書き込まれる。
【００４５】
図３は、携帯型電話機４の機能構成を示すブロック図である。
携帯型電話機４は、ＣＰＵ４１０と、入力部４２０と、表示部４３０と、音出力部４３５と、携帯用無線通信部４４０と、近距離無線通信部４５０と、ＲＯＭ４６０と、ＲＡＭ４７０と、通話マイク４８０とを備え、各部はバス４９０で相互にデータ通信可能に接続されて構成されている。
【００４６】
ＣＰＵ４１０は、ＲＯＭ４６０に記憶されているシステムプログラム等に従って各部を統括的に制御する。また、ＣＰＵ４１０は、ＲＯＭ４６０に記憶されているＵＲＬ接続信号送信プログラム４６１を読み出してワークエリアに展開し、ＵＲＬ接続信号送信処理を実行する。
【００４７】
入力部４２０は、例えば操作キーにより実現され、押下されたキーの信号をＣＰＵ４１０に出力する。この入力部４２０によるキー操作により、通話要求、メールの送受信要求等がなされる。
【００４８】
表示部４３０は、入力部４２０からの各種指示に応じて、送受信したメールの内容等が
表示される表示装置であって、ＬＣＤ等により構成される。
【００４９】
音出力部４３５は、通話中に通話相手の音声を出力する装置であって、スピーカ等により構成される。
【００５０】
携帯用無線通信部４４０は、携帯電話の通信サービス事業者が設置した無線基地局との間で無線信号の送受信をおこなうアンテナ、ＲＦ変換器等によって実現され、ＣＰＵ４１０の制御に基づいて、無線信号の送受信を行い、通話やメールの送受信を実現する。
【００５１】
近距離無線通信部４５０は、IEEE802.11によるワイヤレスＬＡＮ規格やBluetooth（登録商標）によって実現され、ＣＰＵ４１０の制御に基づいて、ＵＲＬ接続信号を発信する。このＵＲＬ接続信号は、例えば学習端末３の近距離無線通信部３５０により受信される。
【００５２】
ＲＯＭ４６０は、携帯型電話機４の備える各種機能を実現するためのプログラム等を記憶し、ＣＰＵ４１０により読み出され、ＵＲＬ接続信号送信処理（図１６参照）として実行されるＵＲＬ接続信号送信プログラム４６１を記憶している。
【００５３】
ＵＲＬ接続信号送信処理とは、ＣＰＵ４１０が、メールが表示部４３０に表示されているか否かを判定し、表示されていると判定した場合には、当該メールの本文中にＵＲＬが含まれているか否かを判定する処理である。そして、ＣＰＵ４１０は、ＵＲＬが含まれていると判定した場合には、ＵＲＬ接続信号の送信を開始すると共に、以後断続的に送信を続け、メールの表示が終了した場合には、ＵＲＬ接続信号の送信を停止する。このＵＲＬ接続信号送信処理については、詳細に後述する。
【００５４】
ＲＡＭ４７０は、ＣＰＵ４１０により実行されるシステムプログラム、各種処理プログラム、各処理の処理中データ、処理結果などを一時的に記憶するワークエリアを形成する。
【００５５】
通話マイク４８０は、通話中にユーザ自身の音声を入力するためのマイクである。
【００５６】
図４は、学習管理サーバ６の機能構成を示すブロック図である。
学習管理サーバ６は、ＣＰＵ６１０と、入力部６２０と、表示部６３０と、通信部６４０と、ＲＯＭ６５０と、ＲＡＭ６６０と、ハードディスク６７０とを備え、各部はバス６９０で相互にデータ通信可能に接続されて構成されている。
【００５７】
ＣＰＵ６１０は、ＲＯＭ６５０に記憶されているシステムプログラム等に従って各部を統括的に制御する。また、ＣＰＵ６１０は、ハードディスク６７０に記憶されている学習管理プログラム６７１を始めとする各種処理プログラムを読み出してワークエリアに展開し、学習管理処理等を始めとする各種処理を実行する。
【００５８】
入力部６２０は、例えばキーボードにより実現され、押下されたキーの信号をＣＰＵ６１０に出力する。この入力部６２０は、主に学習管理サーバ６の管理者が、各種データの管理を行う際に用いられる。
【００５９】
表示部６３０は、例えば入力部６２０からの入力に応じた各種データが表示される表示装置であり、ＬＣＤ等により構成される。
【００６０】
通信部６４０は、ネットワークカード、モデム又はＴＡ、ルータ等により構成され、ＣＰＵ６１０の制御に基づいて、無線通信回線、専用線、ツイストペアケーブル、光通信ケーブル等の通信回線と、それらを接続するインターネット等の通信ネットワークＮを介して、学習端末３を始めとする外部機器との通信を行う。
【００６１】
ＲＯＭ６５０は、学習管理サーバ６の各部を制御するためのシステムプログラム等を記憶する。
【００６２】
ＲＡＭ６６０は、ＣＰＵ６１０により実行されるシステムプログラム、各種処理プログラム、各処理の処理中データ、処理結果などを一時的に記憶するワークエリアを形成する。
【００６３】
ハードディスク６７０は、学習管理サーバ６が備える各種機能を実現するためのプログラムやデータ等を記憶し、ＣＰＵ６１０により読み出され、学習管理処理（図１２参照）として実行される学習管理プログラム６７１と、企業ＨＰ更新情報メール送信処理（図１５参照）として実行される企業ＨＰ更新情報メール送信プログラム６７２と、履修コースデータ６７３と、講座コンテンツＤＢ（Data Base）６７４と、企業情報データ６７５と、会員管理データ６７６と、会員履修データ６７７と、警告表示データ６７８と、履歴書データ６７９と、自己ＰＲ用録画データ６８０とを記憶している。
【００６４】
学習管理処理とは、ＣＰＵ６１０が、学習端末３からのログイン要求に基づいたログイン処理を行うと共に、講座コンテンツの配信要求に従って、学習端末３に講座コンテンツを配信する処理である。そして、ＣＰＵ６１０は、学習端末３から講座の受講終了通知を受信すると、会員の今後の学習の予想進度（以下、「予想進捗」と呼ぶ。）を算出し、この算出した予想進捗が予め定められた警告発動条件を満たす場合には、所定の警告メッセージを学習端末３に送信する。また、ＣＰＵ６１０は、就職試験の履歴書締切日、筆記試験日及び面接試験日である選考期日が、算出した予想進捗に適合する企業の検索要求を学習端末３から受信した場合に、適合する企業を検索し、検索した企業の企業情報を学習端末３に送信する。この学習管理処理については、詳細に後述する。
【００６５】
企業ＨＰ更新情報メール送信処理とは、ＣＰＵ６１０が１日１回行う処理であり、予め企業情報データ６７５（図８参照）に記憶されている各企業の採用情報ページにアクセスし、当該採用情報ページの更新日を取得する処理である。そして、ＣＰＵ６１０は、各会員それぞれについて、当該会員の希望企業の採用情報ページが更新されていたか否かを判定し、更新されていたと判定した場合に、その旨と、当該採用情報ページのＵＲＬとを記載したメールを当該会員の学習端末３及び携帯型電話機４に送信する。この企業ＨＰ更新情報メール送信処理については、詳細に後述する。
【００６６】
履修コースデータ６７３は、会員が履修するコースや受講する講座の種類が予め記憶されたデータであり、コース名６７３１と、履修講座６７３３とが対応付けられたデータである。この履修コースデータ６７３のデータ構成例を図５に示す。
【００６７】
コースは、技術系コース、サービス系コース、外資系コース等の複数のコースからなる。コースは、企業情報データ６７５の職種６７５１にそれぞれ対応しており、各会員は、自身が希望する職種に従ってコースを選択する。
【００６８】
履修講座６７７３は、会員が受講する講座であり、準備段階６７３３ａと、筆記試験対策６７３３ｂと、面接試験対策６７３３ｃとの３段階の講座に分けられている。この３つの段階は、企業情報データ６７５の３つの選考期日６７５７ａにそれぞれ対応している。
【００６９】
準備段階６７３３ａは、例えば一般常識講座、履歴書作成講座、録画用自己ＰＲ講座といった、各会員が就職試験の準備を行うための講座で構成される。この準備段階６７３３ａに含まれる講座は、履歴書締切日までに受講を終了することが望ましい。従って、準備段階６７３３ａは選考期日６７５７ａのうちの履歴書締切日に対応する。
【００７０】
筆記試験対策６７３３ｂは、例えば小論文講座、一般数学講座、英語講座といった、就職試験における筆記試験の対策を行うための講座で構成される。この筆記試験対策６７３３ｂに含まれる講座は、筆記試験日までに受講を終了することが望ましい。従って、筆記試験対策６７３３ｂは、選考期日６７５７ａのうちの筆記試験日に対応する。
【００７１】
面接対策講座６７３３ｃは、例えばビジネスマナー講座、ビジネス英会話講座、自己ＰＲ講座といった、就職試験における面接試験の対策を行うための講座で構成される。この面接試験対策６７３３ｃに含まれる講座は、面接試験日までに受講を終了することが望ましい。従って、面接対策講座６７３３ｃは、選考期日６７５７ａのうちの面接試験日に対応する。
【００７２】
会員が受講可能な講座はコース毎に予め決められており、例えば外資系コースを選択した会員が筆記試験対策６７３３ｂにおいて受講する講座は、小論文講座及び一般数学講座である。但し、準備段階６７３３ａの講座のうち、履歴書作成講座及び録画用自己ＰＲ講座は全てのコースに含まれ、全会員が受講することになる。
【００７３】
また、それぞれの講座は、受講の日数及び受講の順番が決められている。例えば技術系コースを選択した会員は、初日から３日目までは一般常識講座、４日目は履歴書作成講座、５日目は録画用自己ＰＲ講座、６日目及び７日目は小論文講座といった具合に講座を受講していく。
【００７４】
講座コンテンツＤＢ６７４は、ビデオデータ等の各講座のコンテンツ（以下、「講座コンテンツ」と呼ぶ。）が記憶されたデータベースであり、その構成例を図６に示す。ここでは、一般常識講座６７４１、ビジネスマナー講座６７４３及び履歴書作成講座６７４５の講座コンテンツについて説明する。
【００７５】
一般常識講座６７４１は、受講の日数が３日であり、講師による講座を収録したビデオデータ６７４１ａを３日分講座コンテンツとして含んでいる。このビデオデータ６７４１ａが学習端末３に配信されることで、学習端末３の表示部３３０において放映される一般常識講座の一場面である表示画面Ｗ１０を図７（ａ）に示す。
【００７６】
表示画面Ｗ１０では、左部の講師画面ＴＷ１０において、講師が黒板を使用しながら講義を行う様子が映し出されている。
【００７７】
ビジネスマナー講座６７４３は、受講の日数が１日であり、会員側と講師側との間で双方向の通信が行われる、インタラクティブな講座である。ビジネスマナー講座６７４３は、学習端末３と、講師端末７とが双方向にデータ通信を行うことを可能にする双方向通信設定データ６７４３ａを講座コンテンツとして含んでいる。双方向通信設定データ６７４３ａが学習端末３に配信され、学習管理サーバ６により学習端末３と講師端末７とが接続されることで実現されるビジネスマナー講座の一場面である表示画面Ｗ１２を図７（ｂ）に示す。
【００７８】
表示画面Ｗ１２では、左部の講師画面ＴＷ１２において、講師が黒板を使用しながらリアルタイムに講義を行う様子が映し出されている。また、右部の会員画面ＳＷ１２には、会員自身の姿が映し出されている。
【００７９】
会員の映像は講師端末７に送信され、講師は会員の映像を見て悪い箇所を指摘しながら、講義を進行していく。一方、学習端末３の会員は、会員画面ＳＷ１２に映し出される自身の姿を見ながら、講師の指摘に沿って悪い箇所を改善していく。
【００８０】
履歴書作成講座６７４５は、受講の日数が１日であり、会員側と講師側との間で双方向の通信が行われる、インタラクティブな講座である。履歴書作成講座６７４５は、双方向通信データ６７４５ａと、履歴書お手本データ６７４５ｂと、履歴書雛形データ６７４５ｃとを講座コンテンツとして含んでいる。
【００８１】
履歴書お手本データ６７４５ｂは、学習端末３の表示部３３０に表示され、会員がお手本とする履歴書の電子データである。履歴書雛形データ６７４５ｃは、学習端末３の表示部３３０に表示され、会員が作成する履歴書のひな形となる電子データである。双方向通信設定データ６７４５ａ、履歴書お手本データ６７４５ｂ及び履歴書雛形データ６７４５ｃが学習端末３に配信され、学習管理サーバ６により学習端末３と講師端末７とが接続されることで実現される履歴書作成講座の一場面である表示画面Ｗ１４を図７（ｃ）に示す。
【００８２】
表示画面Ｗ１４では、左部の講師画面ＴＷ１４において、講師が黒板を使用しながらリアルタイムに講義を行う様子が映し出されている。また、右上部のお手本履歴書画面ＲＷ１４には、履歴書のお手本が表示され、右下部の会員作成履歴書画面ＲＷ１５には、履歴書の雛形が表示される。
【００８３】
会員は、お手本履歴書画面ＲＷ１４に表示された履歴書のお手本を参考にしながら、会員履歴書作成画面ＲＷ１５に表示されたひな形である履歴書に文字を入力・更新していくことで、希望企業に提出する履歴書を作成する。そして、作成した履歴書を履歴書データとして学習管理サーバ６に送信すると共に、自身の学習端末３の履歴書データ格納領域３７１に格納する。尚、学習端末３から送信された履歴書データは、学習管理サーバ６のハードディスク６７０に履歴書データ６７９として記憶される。
【００８４】
また、図示しないが、録画用自己ＰＲ講座の講座コンテンツにも双方向通信設定データが含まれ、講師がリアルタイムに講義を行い、会員側と講師側との間で双方向の通信が行われる、インタラクティブな講座の形式を採る。録画用自己ＰＲ講座では、会員が自己紹介及び自己ＰＲの練習を行い、講師は会員の映像を見て悪い箇所を指摘しながら、講義を進行していく。そして、講座の最後に、会員は希望企業に提出する自己紹介及び自己ＰＲを録画し、自己ＰＲ用録画データとして学習管理サーバ６に送信すると共に、自身の学習端末３の自己ＰＲ用録画データ格納領域３７３に格納する。尚、学習端末３から送信された自己ＰＲ用録画データは、学習管理サーバ６のハードディスク６７０に自己ＰＲ用録画データ６８０として記憶される。
【００８５】
企業情報データ６７５は、複数の企業についての企業情報が予め記憶されたデータであり、職種６７５１と、企業の名称６７５３と、業務内容６７５５と、採用情報６７５７と、企業ＨＰ情報６７５９とが対応付けられて蓄積されたデータである。この企業情報データ６７５のデータ構成例を図８に示す。
【００８６】
採用情報６７５７は、企業の採用に係る情報であり、履歴書の提出締切の日付である履歴書締切日、筆記試験の日付である筆記試験日及び面接試験の日付である面接試験日で構成される選考期日６７５７ａと、採用条件６７５７ｂとで構成される。但し、本実施形態では、選考期日６７５７ａは何れの企業も１日ずつあるものとして説明する。
【００８７】
企業ＨＰ情報６７５９は、企業のＨＰのトップページのＵＲＬであるトップページＵＲＬ６７５９ａと、採用情報ページのＵＲＬである採用情報ページＵＲＬ６７５９ｂと、採用情報ページの更新日である更新日６７５９ｃとで構成される。
【００８８】
企業ＨＰ更新情報メール送信処理において、ＣＰＵ６１０は、この企業情報データ６７５に記憶された各企業の採用情報ページＵＲＬ６７５９ｃにアクセスし、採用情報ページの更新日を取得する。そして、ＣＰＵ６１０は、取得した更新日で、企業情報データ６７５の更新日６７５９ｃを更新する。
【００８９】
会員管理データ６７６は、学習管理サーバ６が登録されている会員を管理するためのデータであり、会員番号６７６１と、パスワード６７６２と、ログイン有無６７６３と、氏名６７６４と、職業６７６５と、メールアドレス６７６６と、携帯向メール送信設定フラグ６７６７とが会員毎に対応付けられたデータである。この会員管理データ６７６のデータ構成例を図９に示す。
【００９０】
会員番号６７６１は、各会員をユニークに識別するための識別番号である。パスワード６７６２は、ログイン処理の際に利用され、正規会員以外の不正なログインを防止するための情報である。ログイン有無６７６３は、会員が現在学習管理サーバ６にログインしているか否かを示す情報である。
【００９１】
氏名６７６４は、会員の氏名であり、職業６７６５は、会員の職業である。メールアドレス６７６６は、会員が使用する学習端末３及び携帯型電話機４それぞれのメールアドレスである。
【００９２】
携帯向メール送信設定フラグ６７６７は、学習管理サーバ６が、会員の希望企業の採用情報ページが更新された場合に、当該会員の携帯型電話機４にその旨のメールを送信するか否かを設定するフラグである。つまり、携帯向メール送信設定フラグ６７６７がＯＮに設定された会員の携帯型電話機４には、採用情報ページ更新のお知らせのメールが送信され、ＯＦＦに設定された会員には送信されない。
【００９３】
学習管理処理において、ＣＰＵ６１０は、携帯型電話機４へのメール送信設定を学習端末３から要求された場合に、当該学習端末３を使用する会員の携帯向メール送信設定フラグ６７６７をＯＮに設定する。
【００９４】
会員履修データ６７７は、学習管理サーバ６が各会員の履修状況を管理するためのデータであり、会員番号６７７１と、希望職種６７７２と、希望企業６７７３と、履修コース６７７４と、履修進捗データ６７７５と、予想進捗６７７６とが対応付けられたデータである。この会員履修データ６７７のデータ構成例を図１０に示す。
【００９５】
希望職種６７７２は、当該会員が就職を希望する職種である。希望企業６７７３は、当該会員が就職を希望する企業の名称である。履修コース６７７４は、当該会員が希望するコースである。
【００９６】
履修進捗データ６７７５は、講座と、当該講座を当該会員が受講した受講日とが対応付けられたデータである。予想進捗６７７６は、履修講座６７３３の３つの段階それぞれについて、当該会員が全ての講座の受講を終了する予想日（以下、「予想終了日」と呼ぶ。）である。つまり、予想進捗６７７６は、準備段階６７３３ａの予想終了日である予想準備段階終了日６７７６ａと、筆記試験対策６７３３ｂの予想終了日である予想筆記試験対策終了日６７７６ｂと、面接試験対策６７３３ｃの予想終了日である予想面接試験対策終了日６７７６ｃとで構成される。
【００９７】
学習管理処理において、ＣＰＵ６１０は、学習端末３から講座の受講終了通知を受信すると、当該会員が受講した講座に対応する受講日を現在の日付とすることで、履修進捗データ６７７５を更新する。そして、ＣＰＵ６１０は、更新した履修進捗データ６７７５を参照し、当該会員が受講済みの講座の受講日の間隔に基づいて、予想進捗６７７６を推定する。より具体的には、受講日の間隔の平均値に未受講の講座の個数を乗算した日数を、現在の日付に加算することで、予想進捗６７７６を推定する。
【００９８】
また、予想進捗６７７６には、予想準備段階終了日６７７６ａと、予想筆記試験対策終了日６７７６ｂと、予想面接試験対策終了日６７７６ｃとが含まれるが、これら全てを推定するわけではなく、当該会員が最後に受講した講座が含まれる段階に対応する予想終了日のみを推定する。つまり、当該会員が最後に受講した講座が準備段階６７３３ａの講座であった場合には、予想準備段階終了日６７７６ａのみを推定し、面接試験対策６７３３ｃの講座であった場合には、予想面接試験対策終了日６７７６ｃのみを推定する。
【００９９】
警告表示データ６７８は、学習管理サーバ６が学習端末３に対して送信・表示させる警告メッセージの内容が予め記憶されたデータであり、警告発動条件６７８１と、警告メッセージの内容である表示内容６７８３とが対応付けられたデータである。この警告表示データ６７８のデータ構成例を図１１に示す。
【０１００】
警告発動条件６７８１は、警告が発動される条件であり、最終履修講座６７８１ａと、進捗遅れ６７８１ｂとで構成される。
【０１０１】
最終履修講座６７８１ａは、履修講座６７３３のうち、当該会員が最後に受講した講座が含まれる段階を示すものである。進捗遅れ６７８１ｂは、最終履修講座６７８１ａが含まれる段階の予想進捗６７７６が、当該会員の希望企業６７７３の選考期日６７５７ａから遅れている日数である。例えば最終履修講座６７８１ａが準備段階６７３３ａの講座である場合には、予想準備段階終了日６７７６ａが履歴書締切日から遅れている日数が、進捗遅れ６７８１ｂとなる。
【０１０２】
学習管理処理において、ＣＰＵ６１０は、会員の最終履修講座６７８１ａを特定し、特定した最終履修講座６７８１ａが含まれる段階の予想進捗６７７６及び選考期日６７５７ａから進捗遅れ６７８１ｂを算出する。そして、何れかの警告発動条件６７８１が成立したか否かを判定し、成立したと判定した場合には、対応する表示内容６７８３を含んだ警告メッセージを、学習端末３に送信する。
【０１０３】
例えば、最終履修講座６７８１ａが準備段階の講座であり、予想準備段階終了日６７７６ａが当該会員の希望企業６７７３の履歴書締切日から５日後である場合には、進捗遅れ６７８１ｂは「５日」と算出される。そして、警告発動条件６７８１が成立したと判定され、「この学習ペースでいくと、希望企業の履歴書締切日に遅れてしまいます。学習ペースを上げて下さい。」といった警告メッセージが、学習端末３に送信される。
【０１０４】
〔処理の流れ〕
次に、処理の流れについて説明する。
図１２は、学習端末３が行うネット学習処理及び学習管理サーバ６が行う学習管理処理の流れを示すフローチャートである。同図において、左側はネット学習処理を示し、右側は学習管理処理を示す。
【０１０５】
先ず、学習端末３のＣＰＵ３１０は、ログイン認証を受けるために学習管理サーバ６にアクセスしてログイン要求を行う（ステップＡ１）。学習管理サーバ６のＣＰＵ６１０は、ログイン要求が行われると、ログイン処理を実行する（ステップＳ１）。具定的には、ログイン要求に含まれる会員番号及びパスワードと、会員管理データ６７６とに基づいて、正規の会員であるか否かの認証を行う。
【０１０６】
次に、学習端末３のＣＰＵ３１０は、会員の入力操作に基づいて、学習管理サーバ６に対し講座コンテンツの配信を要求する（ステップＡ３）。学習管理サーバ６のＣＰＵ６１０は、講座コンテンツの配信が要求されると、当該要求に基づいて講座コンテンツＤＢ６７４に含まれる講座コンテンツを配信する（ステップＳ３）。
【０１０７】
具体的には、学習端末３から配信を要求された講座が、会員側と講師側との間のインタラクティブな講座ではない場合には、ＣＰＵ６１０は、ビデオデータを学習端末３に配信する。一方、配信を要求された講座がインタラクティブな講座である場合には、ＣＰＵ６１０は、双方向通信設定データ等を学習端末３に配信すると共に、学習端末３と講師端末７との接続を確立する。
【０１０８】
そして、配信された講座コンテンツを受信すると（ステップＡ５）、学習端末３のＣＰＵ３１０は、受信した講座コンテンツに基づいた映像を表示部３３０に表示させると共に
、音声を音出力部３３５から出力させて講座を開始する（ステップＡ７）。そして、学習端末３のＣＰＵ３１０は、講座が終了したか否かを判定し（ステップＡ９）、終了していないと判定した場合には（ステップＡ９；Ｎｏ）、そのまま待機し、終了したと判定した場合には（ステップＡ９；Ｙｅｓ）、受講終了通知を学習管理サーバ６に送信する（ステップＡ１１）。
【０１０９】
学習管理サーバ６のＣＰＵ６１０は、学習端末３から受講終了通知を受信したか否かを判定し（ステップＳ５）、受信していないと判定した場合には（ステップＳ５；Ｎｏ）、そのまま待機し、受信したと判定した場合には（ステップＳ５；Ｙｅｓ）、会員が受講した講座に対応する受講日を現在の日付とすることで、会員履修データ６７７の履修進捗データ６７７５を更新する（ステップＳ７）。
【０１１０】
そして、学習管理サーバ６のＣＰＵ６１０は、会員履修データ６７７の履修進捗データ６７７５と、履修コースデータ６７３とに基づいて、予想進捗６７７６を推定する（ステップＳ９）。具体的には、会員が受講済みの講座の受講日の間隔の平均を求め、求めた平均間隔に未受講の講座の個数を乗算した日数を、現在の日付に加算する。そして、会員が最後に受講した講座が含まれる段階の予想終了日を求め、予想進捗６７７６に設定する。
【０１１１】
次いで、学習管理サーバ６のＣＰＵ６１０は、最終履修講座６７８１ａを特定すると共に、進捗遅れ６７８１ｂを算出する。そして、ＣＰＵ６１０は、何れかの警告発動条件６７８１が成立したか否かを判定する（ステップＳ１１）。
【０１１２】
ステップＳ１１において警告発動条件６７８１が成立しなかったと判定した場合には（ステップＳ１１；Ｎｏ）、学習管理サーバ６のＣＰＵ６１０は、ステップＳ１５へと処理を移行する。また、警告発動条件６７８１が成立したと判定した場合には（ステップＳ１１；Ｙｅｓ）、ＣＰＵ６１０は、最終履修講座６７８１ａが含まれる段階における予想進捗６７７６及び希望企業６７７３の選考期日６７５７ａ（例えば最終履修講座６７８１ａが準備段階６７３３ａの講座である場合には、予想準備段階終了日６７７６ａ及び履歴書締切日）と、表示内容６７８３に基づいた警告メッセージとを学習端末３に送信する（ステップＳ１３）。
【０１１３】
学習端末３のＣＰＵ３１０は、警告メッセージ等を受信したか否かを判定し（ステップＡ１３）、受信しなかったと判定した場合には（ステップＡ１３；Ｎｏ）、ステップＡ１７へと処理を移行する。また、受信したと判定した場合には（ステップＡ１３；Ｙｅｓ）、ＣＰＵ３１０は、受信した予想進捗６７７６及び希望企業６７７３の選考期日６７５７ａと、警告メッセージとを表示部３３０に表示させる（ステップＡ１５）。
【０１１４】
次いで、学習端末３のＣＰＵ３１０は、会員により選考期日６７５７ａが予想進捗６７７６に適合する企業を検索する旨の入力がなされたか否かを判定し（ステップＡ１７）、なされなかったと判定した場合には（ステップＡ１７；Ｎｏ）、ステップＡ２３へと処理を移行し、なされたと判定した場合には（ステップＡ１７；Ｙｅｓ）、学習管理サーバ６に対して企業の検索を要求する（ステップＡ１９）。
【０１１５】
学習管理サーバ６のＣＰＵ６１０は、学習端末３から企業の検索要求が送信されてきたか否かを判定し（ステップＳ１５）、送信されてこなかったと判定した場合には（ステップＳ１５；Ｎｏ）、ステップＳ２１へと処理を移行する。また、送信されてきたと判定した場合には（ステップＳ１５；Ｙｅｓ）、ＣＰＵ６１０は、企業情報データ６７５を参照し、会員の希望職種６７７２と同じ職種６７５１であり、選考期日６７５７ａが予想進捗６７７６よりも後であって、且つ７日以内の企業を検索する（ステップＳ１７）。
【０１１６】
そして、学習管理サーバ６のＣＰＵ６１０は、ステップＳ１７において検索した企業の企業情報を企業情報データ６７５から読み出し、学習端末３に送信する（ステップＡ１９）。ここで、学習端末３に送信する企業情報は、例えば企業の名称６７５３、業務内容６７５５、選考期日６７５７ａ、採用条件６７５７ｂ及び採用情報ページＵＲＬ６７５９ｂである。
【０１１７】
学習端末３のＣＰＵ３１０は、受信した企業情報を表示部３３０に表示させる（ステップＡ２１）。そして、ＣＰＵ３１０は、会員により携帯型電話機４への希望企業６７７３のＨＰ更新情報のメール送信を設定する旨の入力がなされたか否かを判定し（ステップＡ２３）、なされなかったと判定した場合には（ステップＡ２３；Ｎｏ）、ステップＡ２７へと処理を移行し、なされたと判定した場合には（ステップＡ２３；Ｙｅｓ）、学習管理サーバ６に対して携帯向メール送信をする旨の設定を要求する（ステップＡ２５）。
【０１１８】
学習管理サーバ６のＣＰＵ６１０は、学習端末３から携帯向メール送信設定の要求が送信されてきたか否かを判定し（ステップＳ２１）、送信されてこなかったと判定した場合には（ステップＳ２１；Ｎｏ）、ステップＳ２５へと処理を移行し、送信されてきたと判定した場合には（ステップＳ２１；Ｙｅｓ）、会員管理データ６７６の携帯向メール送信設定フラグ６７６７をＯＮに設定する（ステップＡ２３）。
【０１１９】
そして、学習端末３のＣＰＵ３１０は、会員によりログアウト要求がなされたか否かを判定し（ステップＡ２７）、なされなかったと判定した場合には（ステップＡ２７；Ｎｏ）、ステップＡ３へと戻り、なされたと判定した場合には（ステップＡ２７；Ｙｅｓ）、学習管理サーバ６に対してログアウトを要求して（ステップＡ２９）、ネット学習処理を終了する。
【０１２０】
一方、学習管理サーバ６のＣＰＵ６１０は、学習端末３からログアウト要求を受信したか否かを判定し（ステップＳ２５）、受信しなかったと判定した場合には（ステップＳ２５；Ｎｏ）、ステップＳ３へと戻り、受信したと判定した場合には（ステップＳ２５；Ｙｅｓ）、ログアウト処理を行って（ステップＳ２７）、学習管理処理を終了する。
【０１２１】
次に、学習端末３が行うネット学習処理及び学習管理サーバ６が行う学習管理処理の具体例について、学習端末３の表示部３３０に表示される表示画面例を参照して説明する。
図１３は、学習端末３の表示部３３０に警告メッセージが表示された場合の表示画面の一例である表示画面Ｗ２０を示す図である。尚、表示画面Ｗ２０に表示されている内容は、図８の企業情報データ６７５及び図１０の会員履修データ６７７の内容に基づいたものである。
【０１２２】
先ず、会員の最終履修講座６７８１ａが準備段階６７３３ａの講座であったため、予想準備段階終了日６７７６ａが学習管理サーバ６により推定され、ここでは「４／２５」とされる（図１２のステップＳ９）。また、会員の希望企業６７７３は「ＡＡ株式会社」であり、その履歴書締切日が「４／２０」であることから、進捗遅れ６７８１ｂは「５日」と算出され、警告発動条件６７８１が成立したと判定される（図１２のステップＳ１１；Ｙｅｓ）。
【０１２３】
そして、推定された予想準備段階終了日６７７６ａと、「ＡＡ株式会社」の履歴書締切日と、警告メッセージとが学習管理サーバ６から学習端末３に送信され（図１２のステップＳ１３）、学習端末３の表示部３３０に表示画面Ｗ２０が表示される（図１２のステップＡ１５）。
【０１２４】
表示画面Ｗ２０では、予想準備段階終了日６７７６ａである「４／２５」と、履歴書締切日である「４／２０」と、警告メッセージである「この学習ペースでいくと、希望企業の履歴書締切日に遅れてしまいます。学習ペースを上げて下さい。」とが表示されている。
【０１２５】
図１４は、学習端末３の表示部３３０に検索された企業の企業情報が表示された場合の表示画面の一例である表示画面Ｗ２２を示す図である。
【０１２６】
図１３の表示画面Ｗ２０が表示された後に、会員により企業の検索要求がなされたために（図１２のステップＡ１７；Ｙｅｓ）、学習端末３から学習管理サーバ６に対して企業の検索が要求される（図１２のステップＡ１９）。
【０１２７】
すると、学習管理サーバ６により、企業情報データ６７５の中から、会員の希望職種６７７２である「技術系」の職種６７５１であり、会員の予想準備段階終了日６７７６ａである「４／２５」から７日以内に履歴書締切日を有する企業が検索される（図１２のステップＳ１７）。そして、検索された企業の企業情報が学習管理サーバ６から学習端末３に送信され（図１２のステップＳ１９）、学習端末３の表示部３３０に表示画面Ｗ２２が表示される（図１２のステップＡ２１）。
【０１２８】
表示画面Ｗ２２では、履歴書締切日が「４／２７」である「ＡＥ株式会社」や、「４／３０」である「ＡＨ株式会社」の企業情報が表示されている。
【０１２９】
図１５は、学習管理サーバ６が行う企業ＨＰ更新情報メール送信処理の流れを示すフローチャートである。この企業ＨＰ更新情報メール送信処理は、学習管理サーバ６が１日１回行う処理である。
【０１３０】
先ず、学習管理サーバ６のＣＰＵ６１０は、各企業についてループＡの処理を繰り返し実行する。
ループＡでは、ＣＰＵ６１０は、企業情報データ６７５の採用情報ページＵＲＬ６７５９ｂに基づいて、対象となる企業（以下、「対象企業」と呼ぶ。）の採用情報ページにアクセスする（ステップＴ１）。
【０１３１】
次いで、ＣＰＵ６１０は、当該採用情報ページの更新日を取得し（ステップＴ３）、取得した更新日で、企業情報データ６７５の対象企業の更新日６７５９ｃを更新する（ステップＴ５）。そして、ＣＰＵ６１０は、各企業について処理を行った後、ループＡの処理を終了する。
【０１３２】
次に、ＣＰＵ６１０は、各会員についてループＢの処理を繰り返し実行する。
ループＢでは、ＣＰＵ６１０は、企業情報データ６７５を参照し、各会員（以下、当該ループの処理対象の会員を「対象会員」と呼ぶ。）の希望企業６７７３の採用情報ページの更新日６７５９ｃを取得する（ステップＴ７）。
【０１３３】
そして、ＣＰＵ６１０は、取得した更新日６７５９ｃが本処理の実行日であるか否かを判定することで、変更されたか否かを判定し（ステップＴ９）、変更されたと判定した場合には（ステップＴ９；Ｙｅｓ）、対象会員の希望企業６７７３の採用情報ページが更新された旨と、採用情報ページＵＲＬ６７５９ｂとを本文中に記載したメールを、対象会員の学習端末３に送信する（ステップＴ１１）。
【０１３４】
次いで、ＣＰＵ６１０は、会員管理データ６７６を参照し、対象会員の携帯向メール送信設定フラグ６７６７がＯＮであるか否かを判定し（ステップＴ１３）、ＯＮであると判定した場合には（ステップＴ１３；Ｙｅｓ）、対象会員の希望企業６７７３の採用情報ページが更新された旨と、採用情報ページＵＲＬ６７５９ｂとを本文中に記載したメールを、対象会員の携帯型電話機４に送信する（ステップＴ１５）。そして、ＣＰＵ６１０は、各会員について処理を行った後、ループＢの処理を終了し、企業ＨＰ更新情報メール送信処理を終了する。
【０１３５】
また、ステップＴ９において更新日６７５９ｃが変更されていないと判定した場合（ステップＴ９；Ｎｏ）、又はステップＴ１３において携帯向メール送信設定フラグ６７６７がＯＦＦであったと判定した場合には（ステップＴ１３；Ｎｏ）、ＣＰＵ６１０は、次の対象会員についてステップＴ７〜Ｔ１５の処理を行う。
【０１３６】
図１６は、学習端末３が行うＵＲＬ接続処理及び携帯型電話機４が行うＵＲＬ接続信号送信処理の流れを示すフローチャートである。このＵＲＬ接続処理及びＵＲＬ接続信号送信処理は、学習端末３及び携帯型電話機４それぞれにおいて常駐的に実行されている処理である。
【０１３７】
先ず、携帯型電話機４のＣＰＵ４１０は、メールが表示されたか否かを判定し（ステップＰ１）、表示されていないと判定した場合には（ステップＰ１；Ｎｏ）、そのまま待機し、表示されたと判定した場合には（ステップＰ１；Ｙｅｓ）、当該表示されたメールの本文中に、ＵＲＬが含まれているか否かを判定する（ステップＰ３）。
【０１３８】
ステップＰ３において、ＵＲＬが含まれていないと判定した場合には（ステップＰ３；Ｎｏ）、ＣＰＵ４１０は、ステップＰ７へと処理を移行し、ＵＲＬが含まれていると判定した場合には（ステップＰ３；Ｙｅｓ）、当該ＵＲＬを含んだＵＲＬ接続信号の送信を開始し（ステップＰ５）、以後断続的にＵＲＬ接続信号を送信する。
【０１３９】
学習端末３のＣＰＵ３１０は、ＵＲＬ接続信号の受信を監視しており（ステップＢ１）、受信したと判定した場合には（ステップＢ１；Ｙｅｓ）、Ｗｅｂブラウザを起動し、受信したＵＲＬ接続信号に含まれるＵＲＬに接続する（ステップＢ３）。そして、ＣＰＵ３１０は、ステップＢ１に戻る。
【０１４０】
一方、携帯型電話機４のＣＰＵ４１０は、メールの表示が終了したか否かを判定し（ステップＰ７）、未だ表示されていると判定した場合には（ステップＰ７；Ｎｏ）、そのまま待機し、終了したと判定した場合には（ステップＰ７；Ｙｅｓ）、ＵＲＬ接続信号を送信中であるか否かを判定する（ステップＰ９）。
【０１４１】
ステップＰ９においてＵＲＬ接続信号を送信中ではないと判定した場合には（ステップＰ９；Ｎｏ）、ＣＰＵ４１０は、ステップＰ１に戻り、ＵＲＬ接続信号を送信中であると判定した場合には（ステップＰ９；Ｙｅｓ）、ＵＲＬ接続信号の送信を停止して（ステップＰ１１）、ステップＰ１に戻る。
【０１４２】
次に、学習端末３が行うＵＲＬ接続処理及び携帯型電話機４が行うＵＲＬ接続信号送信処理の具体例について、携帯型電話機４の表示部４３０及び学習端末３の表示部３３０に表示される表示画面例を参照して説明する。
図１７は、携帯型電話機４において、希望企業の採用情報ページ更新のお知らせのメールが表示部４３０に表示された表示画面の一例である表示画面ＰＷ１０を示す図である。
会員の希望企業６７７３である「ＡＡ株式会社」の採用情報ページが更新され（図１５のステップＴ１〜Ｔ９；Ｙｅｓ）、会員の携帯向メール送信設定フラグ６７６７がＯＮであったために（図１５のステップＴ１３；Ｙｅｓ）、学習管理サーバ６から会員の携帯型電話機４にその旨のメールが送信される（図１５のステップＴ１５）。そして、受信したメールを表示させたことで、表示画面ＰＷ１０が表示される。
【０１４３】
表示画面ＰＷ１０では、メールの件名と本文とが表示され、本文中には、会員の希望企業６７７３である「ＡＡ株式会社」の採用情報ページが更新された旨と、「ＡＡ株式会社」の採用情報ページＵＲＬ６７５９ｂである「ｈｔｔｐ：／／ｗｗｗ．ａａ．ｃｏ．ｊｐ／ｒｅｃｒｕｉｔ／ｉｎｄｅｘ．ｈｔｍｌ」とが記載されている。
【０１４４】
図１８は、携帯型電話機４から送信されたＵＲＬ接続信号を、学習端末３が受信する様子を示す図である。
図１７の表示画面ＰＷ１０が表示された状態においては（図１６のステップＰ１；Ｙｅｓ）、メールの本文中にＵＲＬが含まれるため（図１６のステップＰ３；Ｙｅｓ）、携帯型電話機４から、当該ＵＲＬ「ｈｔｔｐ：／／ｗｗｗ．ａａ．ｃｏ．ｊｐ／ｒｅｃｒｕｉｔ／ｉｎｄｅｘ．ｈｔｍｌ」を含んだＵＲＬ接続信号が断続的に送信される（図１６のステップＰ５）。この状態で、会員が携帯型電話機４を学習端末３に近づけ、学習端末３の受信可能エリア内に携帯型電話機４が位置すると、学習端末３はＵＲＬ接続信号を受信する。
【０１４５】
図１９は、受信したＵＲＬ接続信号に含まれるＵＲＬに接続することで学習端末３の表示部３３０に表示される表示画面の一例である表示画面Ｗ３０を示す図である。
学習端末３は、携帯型電話機４からＵＲＬ接続信号を受信したことで（図１６のステップＢ１；Ｙｅｓ）、Ｗｅｂブラウザを起動し、ＵＲＬ「ｈｔｔｐ：／／ｗｗｗ．ａａ．ｃｏ．ｊｐ／ｒｅｃｒｕｉｔ／ｉｎｄｅｘ．ｈｔｍｌ」に接続する（図１６のステップＢ３）。そして、学習端末３の表示部３３０には表示画面Ｗ３０が表示される。
【０１４６】
表示画面Ｗ３０では、ＵＲＬ「ｈｔｔｐ：／／ｗｗｗ．ａａ．ｃｏ．ｊｐ／ｒｅｃｒｕｉｔ／ｉｎｄｅｘ．ｈｔｍｌ」が、会員の希望企業６７７３である「ＡＡ株式会社」の採用情報ページＵＲＬ６７５９ｂであるために、「ＡＡ株式会社」の採用情報ページが表示される。
【０１４７】
〔履歴書の提出〕
次に、図２０及び図２１を参照して、履歴書作成講座及び録画用自己ＰＲ講座において作成される電子履歴書及び自己ＰＲ用録画データの企業への提出について説明する。図５を参照して説明した通り、全ての履修コースには、準備段階の講座として履歴書作成講座及び録画用自己ＰＲ講座が組み込まれている。
【０１４８】
履歴書作成講座において作成された電子履歴書のデータは学習端末３の履歴書データ格納領域３７１に格納されるとともに、学習管理サーバ６のハードディスク６７０に履歴書データ６７９として記憶される。
【０１４９】
また、録画用自己ＰＲ講座において作成された自己ＰＲ用録画データは学習端末３の自己ＰＲ用録画データ格納領域３７３に格納されるとともに、学習管理サーバ６のハードディスク６７０に自己ＰＲ用録画データ６８０として記憶される。
【０１５０】
就職希望企業の募集に応募する場合、先ず履歴書を提出する必要があるが、当該企業が電子履歴書を受け入れる企業である場合には、履歴書作成講座において作成された電子履歴書のデータを当該企業に送信することで、履歴書の提出を行うことができる。また、紙面による履歴書を受け入れる企業であっても、次のようなメモリカードを添付することで自己ＰＲを行うことができる。即ち、会員は、録画用自己ＰＲ講座において作成された自己ＰＲの録画データをメモリカード読書装置３８０でメモリカードに書き込む。そして、書き込んだメモリカードを、紙面の履歴書に貼付することで添付し、当該履歴書を就職希望企業に送付する。図２０は、メモリカードが貼付された紙面による履歴書を示す図である。同図において、履歴書Ｒ１０の位置ＭＡ１０にメモリカードが貼付される。
【０１５１】
また、会員自ら履歴書等を企業に提出するのではなく、学習コンテンツ配信システム５が履歴書等の提出を代行することとしてもよい。即ち、学習管理サーバ６は、履歴書作成講座及び録画用自己ＰＲ講座で作成された履歴書データ６７９及び自己ＰＲ用録画データ６８０を記憶しているため、当該会員の就職希望企業宛に、当該データを送信することで履歴書等の提出を代行することができる。図２１は、学習管理サーバ６による企業サーバ８への履歴書等の代行提出を説明するための図である。学習管理サーバ６が就職希望先の企業にデータを提出するため、会員は履歴書の提出し忘れといった不測の事態を回避することができる。
【０１５２】
〔作用効果〕
本実施形態によれば、学習端末３からの受講要求に応じて、学習管理サーバ６は学習端末３に講座コンテンツを配信する。また、学習管理サーバ６は、履修進捗データ６７７５と、履修コースデータ６７３とに基づいて、会員の予想進捗６７７６を推定し、推定した予想進捗６７７６に応じた警告メッセージを学習端末３に送信する。従って、会員は、学習端末３を用いて好きな時に講座を受講することができるが、講座を受講する頻度が低下して学習の進度が遅くなった場合には、その進捗に応じた警告メッセージを受け取ることとなる。よって、講座を何時でも受講できるという会員のメリットを損なうことなく、学習の進捗遅れに対する適切な支援を行う学習管理装置（サーバ）が実現できる。
【０１５３】
また、学習管理サーバ６は、会員の要求に応じて予想進捗６７７６に適合する選考期日６７５７ａを有する企業を検索し、検索した企業の企業情報を学習端末３に送信する。従って、会員に対して、現在の学習ペースで受講していった場合に、試験を受けるのに適した試験日を有する企業を知らせることのできる学習管理装置（サーバ）を実現し得る。
【０１５４】
また、学習管理サーバ６は、企業情報データ６７５に記憶されている各企業の採用情報ページが更新されたか否かを１日１回監視し、会員の希望企業６７７３の採用情報ページが更新されていた場合には、その旨と、採用情報ページＵＲＬ６７５９ｂとを記載したメールを会員の携帯型電話機４に送信する。そして、会員が、携帯型電話機４に送信されたメールを表示した状態にすると、表示されている採用情報ページＵＲＬ６７５９ｂを含んだＵＲＬ接続信号が携帯型電話機４から送信され、このＵＲＬ接続信号を学習端末３が受信すると、会員の希望企業６７７３の採用情報ページにアクセスする。
【０１５５】
従って、就職活動を行っている会員にとって有益な情報である希望企業のホームページの情報が更新されたか否かをいち早く知らせることのできるシステムを実現し得る。また会員は、学習端末３で閲覧したい企業のホームページがあった場合、携帯型電話機４で当該ＨＰのＵＲＬを表示した状態にすれば良いため、簡単に当該企業のホームページを当該学習端末３で閲覧できるようになる。
【０１５６】
〔変形例〕
（Ａ）予想進捗の推定及び警告メッセ−ジの表示
本実施形態では、会員が最後に受講した講座が含まれる段階のみに対する予想進捗６７７６を推定することとして説明した。つまり、例えば会員が最後に受講した講座が準備段階６７３３ａの講座であった場合には、予想準備段階終了日６７７６ａのみを推定することとして説明した。しかし、予想準備段階終了日６７７６ａ、予想筆記試験対策終了日６７７６ｂ及び予想面接試験対策終了日６７７６ｃ全ての予想進捗６７７６を推定することにしても良い。
【０１５７】
また、この場合は、各段階について警告発動条件６７８１が成立したか否かを判定し、警告発動条件６７８１が成立した段階が１つでもあれば、警告メッセージを送信・表示させるようにする。例えば予想準備段階終了日６７７６ａ及び予想筆記試験対策終了日６７７６ｂについては警告発動条件６７８１が成立しないが、予想面接試験対策終了日６７７６ｃについて警告発動条件６７８１が成立する場合には、希望企業６７７３の面接試験日に遅れる可能性がある旨の警告メッセージを学習端末３に送信・表示させる。
【０１５８】
（Ｂ）選考期日
本実施形態では、各企業について選考期日６７５７ａはそれぞれ１日ずつであるものとして説明した。しかし、企業によっては、筆記試験日や面接試験日を複数設定している場合がある。この場合は、各試験日に対して警告発動条件６７８１が成立したか否かを判定し、予想進捗６７７６が何れの試験日にも間に合わない場合に限り、警告メッセージを送信・表示させるようにするとしても良い。例えば会員が最後に受講した講座が筆記試験対策６７３３ｂの講座であり、希望企業６７７３の筆記試験日が複数存在する場合には、予想筆記試験対策終了日６７７６ｂが何れの筆記試験日にも間に合わない場合に限り、警告メッセージを送信・表示させる。
【０１５９】
また、予想筆記試験対策終了日６７７６ｂが、最先の筆記試験日には間に合わないが、例えば次の筆記試験日の間近であるような場合には、当該筆記試験日を学習端末３に通知し、会員が当該筆記試験日に受験することが適切であることを報知するようにするとしても良い。
【０１６０】
（Ｃ）警告の出力形態
会員に対しての警告の出力形態は、メッセージの表示に限られず、音出力であっても良い。
【０１６１】
（Ｄ）学習コンテンツ配信システム
本実施形態における学習コンテンツ配信システム５は、就職試験用の講座コンテンツを配信するものとして説明したが、例えば資格試験用の講座コンテンツや、職業訓練用の講座コンテンツを配信することにしても良い。
【０１６２】
（Ｅ）Ｗｅｂ面接システム
学習コンテンツ配信システム５を介して企業が会員と面接を行うような構成を採っても良い。この場合、学習管理サーバ６は、会員から面接の申し込みがあった場合には、会員の希望企業にアクセスして面接を予約する。そして、面接試験日には、学習管理サーバ６が学習端末３と企業サーバ８とを接続し、会員と企業との間でＷｅｂ面接が行われるようにする。
【０１６３】
（Ｆ）メールの内容
本実施形態では、学習管理サーバ６から会員の携帯型電話機４に送信されるメールには、会員の希望企業６７７３の採用情報ページＵＲＬ６７５９ｂが記載されるものとして説明したが、例えばトップページＵＲＬ６７５９ａが記載されるようにしても良い。また、採用情報ページＵＲＬ６７５９ｂは必ずしもメールの本文中に記載されている必要は無く、件名に記載されていても良い。
【０１６４】
（Ｇ）ＵＲＬ接続信号の送信
本実施形態では、携帯型電話機４において本文中にＵＲＬが記載されたメールが表示されることで、ＵＲＬ接続信号が送信されるものとして説明した。しかし、ＵＲＬが本文中ではなく件名に記載されている場合にも、ＵＲＬ接続信号を送信することにしても良いのは勿論である。
【０１６５】
また、携帯型電話機４にＵＲＬ接続信号の送信を開始するためのＵＲＬ接続信号送信キーを備え、このＵＲＬ接続信号送信キーが押下されることでＵＲＬ接続信号が送信されるようにしても良い。また、昨今広く普及している折畳式の携帯型電話機において、ＵＲＬが記載されたメールが表示された状態で携帯型電話機が閉じられることで、ＵＲＬ接続信号が送信されるようにしても良い。このような構成を採ることで、ＵＲＬ接続信号がむやみに送信されることを防止することができる。
【０１６６】
（Ｈ）履歴書及びメモリカード
本実施形態では、紙の履歴書の所定位置にメモリカードを貼付するためのメモリカード貼付部が備えられるものとして説明した。しかし、このような構成を採るのはなく、例えばポケット状のメモリカード収納部を所定位置に備え、このメモリカード収納部にメモリカードが収納される構成を採っても良い。
【０１６７】
また、メモリカードには、第三者による内容の読み取りを防止するため、会員がパスワードでロックをかけるようにしても良い。そして、会員は、就職希望企業にパスワードを通知し、人事担当者は、通知されたパスワードを用いてメモリカードの内容を確認する。
【図面の簡単な説明】
【０１６８】
【図１】就職活動用学習システムの概要を示す図。
【図２】学習端末の機能構成を示すブロック図。
【図３】携帯型電話機の機能構成を示すブロック図。
【図４】学習管理サーバの機能構成を示すブロック図。
【図５】履修コースデータのデータ構成例を示す図。
【図６】講座コンテンツＤＢの構成例を示す図。
【図７】各種講座の一場面を示す図。
【図８】企業情報データのデータ構成例を示す図。
【図９】会員管理データのデータ構成例を示す図。
【図１０】会員履修データのデータ構成例を示す図。
【図１１】警告表示データのデータ構成例を示す図。
【図１２】ネット学習処理及び学習管理処理の流れを示すフローチャート。
【図１３】警告メッセージが表示された表示画面例を示す図。
【図１４】検索された企業情報が表示された表示画面例を示す図。
【図１５】企業ＨＰ更新情報メール送信処理の流れを示すフローチャート。
【図１６】ＵＲＬ接続処理及びＵＲＬ接続信号送信処理の流れを示すフローチャート。
【図１７】携帯型電話機において、希望企業の採用情報ページ更新のメールが表示された表示画面例を示す図。
【図１８】携帯型電話機から送信されるＵＲＬ接続信号を、学習端末が受信する様子を示す図。
【図１９】学習端末において、受信したＵＲＬ接続信号に含まれるＵＲＬに接続した場合に表示される表示画面例を示す図。
【図２０】会員の自己ＰＲ用録画データが記憶されたメモリカードを具備した履歴書を示す図。
【図２１】会員の履歴書データ及び自己ＰＲ用録画データが、学習管理サーバから企業サーバに送信される様子を示す図。
【符号の説明】
【０１６９】
１                就職活動用学習システム
２                学習端末側システム
３                学習端末
３ａ              Ｗｅｂカメラ
３ｂ              Ｗｅｂマイク
３１０            ＣＰＵ
３２０            入力部
３３０            表示部
３３５            音出力部
３４０            通信部
３５０            近距離無線通信部
３６０            ＲＯＭ
３７０            ＲＡＭ
３８０            メモリカード読書装置
３９０            バス
４                携帯型電話機
４１０            ＣＰＵ
４２０            入力部
４３０            表示部
４３５            音出力部
４４０            携帯用無線通信部
４５０            近距離無線通信部
４６０            ＲＯＭ
４７０            ＲＡＭ
４８０            通話マイク
４９０            バス
５                学習コンテンツ配信システム
６                学習管理サーバ
６１０            ＣＰＵ
６２０            入力部
６３０            表示部
６４０            通信部
６５０            ＲＯＭ
６６０            ＲＡＭ
６７０            ハードディスク
６９０            バス
７                講師端末
７ａ              Ｗｅｂカメラ
７ｂ              Ｗｅｂマイク
８                企業サーバ
【図１】
2006350903.tif 000003
【図２】
2006350903.tif 000004
【図３】
2006350903.tif 000005
【図４】
2006350903.tif 000006
【図５】
2006350903.tif 000007
【図６】
2006350903.tif 000008
【図７】
2006350903.tif 000009
【図８】
2006350903.tif 000010
【図９】
2006350903.tif 000011
【図１０】
2006350903.tif 000012
【図１１】
2006350903.tif 000013
【図１２】
2006350903.tif 000014
【図１３】
2006350903.tif 000015
【図１４】
2006350903.tif 000016
【図１５】
2006350903.tif 000017
【図１６】
2006350903.tif 000018
【図１７】
2006350903.tif 000019
【図１８】
2006350903.tif 000020
【図１９】
2006350903.tif 000021
【図２０】
2006350903.tif 000022
【図２１】
2006350903.tif 000023